(57)【要約】【課題】  薄い合成樹脂シートでリブや段違い部を形成せずに曲面の折曲部を介して形成し、しかも荷重圧縮強度を損なわせない上方突部を有した蓋を提供する。【解決手段】  厚み１５０〜３５０μの合成樹脂シートを成形し、容器本体との嵌合部３、起立した側面２及び天面７を有し、コーナー部両側の隣接側面間５、隣接両側面と天面間６を曲面乃至曲面稜線で形成し、コーナー部の側面上方を突出させて上方突部８を形成し、この上縁を上曲面１０とし、突部両側を側面と天面間の曲面稜線６に連続するなだらかな両裾９とし、上曲面から下り傾斜して天面に連続する内傾斜面１１を形成した。【選択図】      図５
2007091240.tif 000002
【特許請求の範囲】
【請求項１】
薄い合成樹脂シートを成形し、容器本体との嵌合部、起立した側面、及び天面を少なくと
も有した蓋であって、側面の一部を上方に突出させ、この上方突部の両側の側面と天面間
は曲面稜線を介して連続形成させ、上方突部は、上縁を上曲面とするとともに、突部両側
を側面と天面間の曲面稜線に連続するなだらかな両裾とし、上曲面から下り傾斜して天面
に連続する内傾斜面を形成した構成を有することを特徴とする容器の蓋の構造。
【請求項２】
薄い合成樹脂シートを成形し、容器本体との嵌合部、起立した側面、及び天面を少なくと
も有し、コーナー部を有した蓋であって、コーナー部両側の隣接側面間、隣接両側面と天
面間を曲面乃至曲面稜線を介して連続形成させ、このコーナー部の側面上方を突出させて
上方突部を形成し、この上方突部は、上縁を上曲面とするとともに、突部両側を側面と天
面間の曲面稜線に連続するなだらかな両裾とし、上曲面から下り傾斜して天面に連続する
内傾斜面を形成した構成を有することを特徴とする容器の蓋の構造。
【請求項３】
厚み１５０〜３５０μの合成樹脂シートを成形してなる請求項１又は２に記載の容器の蓋の構造。
【請求項４】
上方突部を天面の水平面との高低差が２〜８ｍｍ内に収まるように形成し、上曲面を内外
方向の切断面の曲り程度が１〜３Ｒの曲面とし、上曲面から天面への内傾斜面全体が天面
の水平面に対して１０〜４０°の角度内に収まる平坦面乃至凹曲面とし、上方突部の頂部
付近の拡開角度を６０〜１２０°とし、両裾を同角度乃至それ以上のゆるやかな傾斜とし
て形成してなる請求項１〜３のいずれかに記載の容器の蓋の構造。
【発明の詳細な説明】
【技術分野】
【０００１】
本発明は、合成樹脂シートを圧空真空成形など熱成形して形成する包装用容器の蓋に関
する。
【背景技術】
【０００２】
薄い合成樹脂シートを真空圧空成形した平面視で角形状乃至丸形状の包装用容器の蓋で
あって、立ち上がり周側面の上縁部を折曲して天面部を形成した蓋は、店頭展示の販売食
品類に多用されている。しかしこの種の容器蓋は、シートの薄さに加えて、成形時にシー
トが引き伸ばされることもあって、角隅の上部などが他の部分に比して弱く、潰れたり歪
んだりして変形しやすかった。蓋付き容器を多段に積み重ねたり、合成樹脂フィルムで強
くラッピング包装したりすることも多く、このような場合、一層変形しやすかった。
この対策として従来は、側面部分に或いは側面部分から天面隅部に亘って縦方向に補強
リブを並設する構造が採用されていた。他の構造として、天面と側面の境界部分に段違い
補強部を設け、或いは、側面上縁沿い乃至天面の周端部沿いに凸条部を周設したものもあ
った。
【発明の開示】
【発明が解決しようとする課題】
【０００３】
しかしながら、補強リブを並設すると、リブの凹凸のため、被収納物が鮮明に見難くな
ってしまい、展示用の容器蓋としていながら、その主機能を損なわせていた。リブを無し
にするには強度が低下してしまうため、シートを厚くせざるを得ず、コスト高となる問題
があった。また、他の構造も含めて、側面と天面とは、段違い部が介在している場合は、
曲面を介して連続する面として成形し難かった。
本発明は、上記問題点に着眼してなしたものであり、リブや段違い部を形成せずに、薄
い合成樹脂シートによって平坦な側面と天面とを曲面の折曲部を介して連続面として形成
し、かつ荷重圧縮強度を損なわせず、高め得るように形成した上方突部の構成を有する蓋
を提供せんとするものであり、平坦面を基調とし曲面で連続したシンプルな面構成とする
ことができるので、透明蓋であれば被収納物を透視しやすいように成形できる蓋を提供せ
んとするものである。
【課題を解決するための手段】
【０００４】
上記課題を解決するために、本発明は、薄い合成樹脂シート、好ましくは厚み１５０〜３５０μの合成樹脂シートを成形し、容器本体との嵌合部、起立した側面、及び天面を少なくとも有した蓋であって、側面の一部を上方に突出させ、この上方突部の両側の側面と天面間は曲面稜線を介して連続形成させ、上方突部は、上縁を上曲面とするとともに、突部両側を側面と天面間の曲面稜線に連続するなだらかな両裾とし、上曲面から下り傾斜して天面に連続する内傾斜面を形成して容器の蓋を構成したことを特徴とする。
また、本発明は、薄い合成樹脂シート、好ましくは厚み１５０〜３５０μの合成樹脂シートを成形し、容器本体との嵌合部、起立した側面、及び天面を少なくとも有し、コーナー部を有した蓋であって、コーナー部両側の隣接側面間、隣接両側面と天面間を曲面乃至曲面稜線を介して連続形成させ、このコーナー部の側面上方を突出させて上方突部を形成し、この上方突部は、上縁を上曲面とするとともに、突部両側を側面と天面間の曲面稜線に連続するなだらかな両裾とし、上曲面から下り傾斜して天面に連続する内傾斜面を形成して容器の蓋を構成したことも特徴とするものである。
【０００５】
上記いずれにおいても、内傾斜面は部分的に或いは全面的に凹曲面として形成するのが
好ましい。
また、上記において、上方突部を天面の水平面との高低差が２〜８ｍｍ内に収まるよう
に形成し、上曲面を内外方向の切断面の曲り程度が１〜３Ｒの曲面とし、上曲面から天面
への内傾斜面全体が天面の水平面に対して１０〜４０°の角度内に収まる平坦面乃至凹曲
面とし、上方突部の頂部付近の拡開角度を６０〜１２０°とし、両裾を同角度乃至それ以
上のゆるやかな傾斜として形成するのが好ましい。
【発明の効果】
【０００６】
本発明によれば、薄い合成樹脂シートにより、段違い部を形成せずに、平坦な側面と天
面とを曲面の折曲部を介して連続面として形成し、かつ天面周縁部の適宜箇所、例えば平
面視で隅丸四角形状の蓋であれば四隅部に、上方突部を形成することができ、上方突部の
形成によって該部付近の荷重圧縮強度を損なわせず高め得るように形成した蓋を提供する
ことができる。蓋は平坦面を基調とし曲面で連続したシンプルな面構成とすることができ
るので、透明蓋であれば被収納物を透視しやすいように成形した蓋とすることができる。
【発明を実施するための最良の形態】
【０００７】
以下、本発明の一実施形態を図面によって説明する。なお、図面は、好適な一例を示す
ものであって、本発明を限定するものではない。
図１〜７は一実施例を示し、図８，９は別の一実施例を示し、図１０はこれら実施例と
対比例との強度試験状態を例示するものである。
【０００８】
本発明が適用される蓋１は、一般に適宜素材の合成樹脂シートであって、１５０〜３５０μｍ厚程度の薄いシートを圧空真空成形などの熱成形によって形成し、惣菜、野菜、肉、或いは弁当など適宜な物を収納して小売店店頭に展示販売する容器の蓋として好適に使用できるものであり、平面視形状は角形、丸形、その他の任意形状であってよいが、図示例では、コーナー部を有した平面視略々隅丸四角形状（四側面をそれぞれ外膨らみ湾曲形）とし、起立した側面２の下端に容器本体の上周縁に被嵌する段違い嵌合部３を外折れ形成し、その下側に容器本体の外周縁に被嵌する被嵌縁４を延設し、隣接側面２，２間のコーナー部を曲面稜線５とするとともに、側面２の上縁は曲面稜線６を介して水平な天面７に連続するように形成してある。
【０００９】
上記蓋において、天面の四隅部すなわちコーナー部の側面上部を上方に突出させて上方
突部８を形成し、この上方突部８は、図６にも示すように、上縁を膨出した上曲面１０と
し、突部両側がコーナー部両側面２、２上縁の曲面稜線５、５に連続するなだらかな両裾
９，９を有するとともに、上曲面１０から下り傾斜し、凹曲面を介して水平な天面に連続
する内傾斜面１１を有して形成し、この内傾斜面１１は、図６（Ｂ）に示すように傾斜中
間部を平坦傾斜面とし、その内外両縁部を曲面で連続する面形状とするか、図９（Ｂ）に
示すように傾斜面全体を凹曲面とし、或いは、図示しないが、コーナー部の内側部分の曲
り程度を大きく（小さい曲率）し、両裾方向ほどなだらかな曲面状態とし、或いはまた、
これらの組み合わせの面状態として形成するのが好ましい。こうして、側面２と上方突部
８と天面７とを角折れ部を有しないで曲面を介した連続面として形成し、すっきりと見栄
えのよい構成となるように形成してある。
【００１０】
上方突部８は、天面７の水平面との高低差Ｈ（図６（Ｂ））が２〜８ｍｍ内に収まるよ
うに形成し、上曲面１０を内外側方向の切断面でみた曲り程度が１〜３Ｒ（半径）程度の
曲り状態の曲面とし、上曲面１０から天面への内傾斜面１１全体が天面７の水平面に対し
て１０〜４０°の角度内に収まる平坦面乃至凹曲面とし、内傾斜面の最も急傾斜となるコ
ーナー内側付近の傾斜状態であっても、その切断面が天面水平面を接線とした５Ｒ程度以
上の外接円の円弧に沿う曲り程度の傾斜曲面とし、他の部分はそれよりもなだらかな傾斜
面としてある。また、上方突部８は、コーナー外側方（図１のＩＩ矢視方向）から見た図
２の状態において、頂部付近の拡開角度を６０〜１２０°とし、両裾９を同角度乃至それ
以上に開いたゆるやかな平坦面乃至凹曲面の傾斜として形成してある。さらに、上記内傾
斜面１１を滑らかに形成するために、該内傾斜面と天面７の水平面との境界は、図７にい
ずれかの仮想線で示す如く表れるように形成するのがよい。同図（Ａ）の大円弧形１１ａ
とするか、同図（Ｂ）の中央部と両端部付近を円弧形としその間を直線で繋いだ円弧近似
形１１ｂとするなどである。
【００１１】
上記高低差Ｈは、蓋コーナー部の耐荷重強度を大きくして保形性を高め、かつ蓋付き容
器を積み重ねた時に、上段容器の底面部分を四つの上方突部内に嵌め込むことにより、ず
れ防止を兼ね得るのに役立つ。高すぎると強度が損なわれ、低すぎても強度が出ずかつず
れ防止機能を発揮し難くなる。上曲面１０は角部を作らず面を連続させ、かつ突部の耐荷
重強度を維持するのに役立ち、曲率が大きすぎると強度が低下し、小さすぎると角状態と
なって連続面状態が損なわれ、また強度も低下する。内傾斜面１１を上記角度内及び傾斜
程度に収めれば、耐荷重強度を大きくして保形性を高めることができ、角度が小さすぎる
と該強度が損なわれ、角度が大きすぎると折れ込みが起こりやすくなって強度が損なわれ
やすくなる。また、上方突部８の頂部付近の拡開角度は大きすぎても小さすぎても荷重強
度が損なわれやすくなる。両裾９の傾斜はなるべくなだらかに長く取るのが好ましく、上
記角度内に収めれば、耐荷重強度を維持するのに役立ち、小さすぎても大きすぎても上記
内傾斜面１１が形成し難くなり、かつ強度が損なわれやすくなる。
【００１２】
図１０は、耐荷重強度試験を示したものであり、（Ａ）は図６に示し、（Ｂ）は図９に
示す本発明の実施例であり、（Ｃ）は対比例としての公知構成の蓋（天面の周端部沿いに
凸条部を周設）を示している。
上記（Ａ）、（Ｂ）は図に丸点線で示した部位、すなわち上方突部の頂点部分を垂直加
圧して降伏強度（単位Ｎ）を測定し、公知例（Ｃ）は丸点線すなわちコーナーの凸条部上
面部分を同様にして測定した。
その結果は、Ｃ＝３．７１であったのに対し、Ａ＝８．３６、Ｂ＝５．９５であり、本
発明とすることにより強度は明らかに高いものとなった。
【図面の簡単な説明】
【００１３】
【図１】本発明に係る蓋の一例を示す概略斜視図である。
【図２】蓋のコーナー部を外側方（図１のII矢視方向）から見た部分側面図である。
【図３】同コーナー部を内側方（図１のIII矢視方向）から見た部分断面図である。
【図４】図１の蓋のコーナー部の部分平面図である。
【図５】図４の部分正面図である。
【図６】図４の蓋のコーナー部の部分断面図であって、（Ａ）は４５°の角度で切断した部分断面図、（Ｂ）はその上方突部部分の拡大図である。
【図７】上方突部の内傾斜面と天面の境界例を示す部分平面図であって、（Ａ）はその一例、（Ｂ）は別の一例を示している。
【図８】図４とは異なる別の一例を示す蓋の部分平面図である。
【図９】図８の蓋のコーナー部の部分断面図であって、（Ａ）は４５°の角度で切断した部分断面図、（Ｂ）はその上方突部部分の拡大図である。
【図１０】強度試験方法を略示した図であり、（Ａ）は図４，６に示す本発明の一実施例を、（Ｂ）は図８，９に示す本発明の別の一実施例を、（Ｃ）は公知の一例を示している。
【符号の説明】
【００１４】
１  蓋、            ２  側面、          ３  嵌合部、          ４  被嵌縁、
５  曲面稜線、      ６  曲面稜線、      ７  天面、            ８  上方突部、
９  両裾、        １０  上曲面、      １１  内傾斜面、      Ｈ  高低差。
【図１】
2007091240.tif 000003
【図２】
2007091240.tif 000004
【図３】
2007091240.tif 000005
【図４】
2007091240.tif 000006
【図５】
2007091240.tif 000007
【図６】
2007091240.tif 000008
【図７】
2007091240.tif 000009
【図８】
2007091240.tif 000010
【図９】
2007091240.tif 000011
【図１０】
2007091240.tif 000012
【手続補正書】
【提出日】平成18年2月15日(2006.2.15)
【手続補正１】
【補正対象書類名】特許請求の範囲
【補正対象項目名】全文
【補正方法】変更
【補正の内容】
【特許請求の範囲】
【請求項１】
薄い合成樹脂シートを成形し、容器本体との嵌合部、起立した側面、及び天面を少なくとも有し、コーナー部を有した蓋であって、コーナー部両側の隣接側面間、隣接両側面と天面間を曲面乃至曲面稜線を介して連続形成させ、このコーナー部の側面上方を延長して上方突部を形成し、この上方突部は、上縁を上曲面とするとともに、突部両側を側面と天面間の曲面稜線に連続するなだらかな両裾とし、上曲面から下り傾斜して天面に連続する内傾斜面を形成した構成を有することを特徴とする容器の蓋の構造。
【請求項２】
厚み１５０〜３５０μｍの合成樹脂シートを成形してなる請求項１に記載の容器の蓋の構造。
【請求項３】
上方突部を天面の水平面との高低差が２〜８ｍｍ内に収まるように形成し、上曲面を内外方向の切断面の曲り程度が１〜３Ｒの曲面とし、上曲面から天面への内傾斜面全体が天面の水平面に対して１０〜４０°の角度内に収まる平坦面乃至凹曲面とし、上方突部の頂部付近の拡開角度を６０〜１２０°とし、両裾を同角度乃至それ以上のゆるやかな傾斜として形成してなる請求項１又は２に記載の容器の蓋の構造。
【手続補正２】
【補正対象書類名】明細書
【補正対象項目名】０００４
【補正方法】変更
【補正の内容】
【０００４】
上記課題を解決するため、本発明は、薄い合成樹脂シート、好ましくは厚み１５０〜３５０μｍの合成樹脂シートを成形し、容器本体との嵌合部、起立した側面、及び天面を少なくとも有し、コーナー部を有した蓋であって、コーナー部両側の隣接側面間、隣接両側面と天面間を曲面乃至曲面稜線を介して連続形成させ、このコーナー部の側面上方を延長して上方突部を形成し、この上方突部は、上縁を上曲面とするとともに、突部両側を側面と天面間の曲面稜線に連続するなだらかな両裾とし、上曲面から下り傾斜して天面に連続する内傾斜面を形成して容器の蓋を構成したことを特徴とするものである。
【手続補正３】
【補正対象書類名】明細書
【補正対象項目名】０００９
【補正方法】変更
【補正の内容】
【０００９】
上記蓋において、天面の四隅部すなわちコーナー部の側面上部を上方に延長して上方突部８を形成し、この上方突部８は、図６にも示すように、上縁を膨出した上曲面１０とし、突部両側がコーナー部両側面２、２上縁の曲面稜線５、５に連続するなだらかな両裾９，９を有するとともに、上曲面１０から下り傾斜し、凹曲面を介して水平な天面に連続する内傾斜面１１を有して形成し、この内傾斜面１１は、図６（Ｂ）に示すように傾斜中間部を平坦傾斜面とし、その内外両縁部を曲面で連続する面形状とするか、図９（Ｂ）に示すように傾斜面全体を凹曲面とし、或いは、図示しないが、コーナー部の内側部分の曲り程度を大きく（小さい曲率）し、両裾方向ほどなだらかな曲面状態とし、或いはまた、これらの組み合わせの面状態として形成するのが好ましい。こうして、側面２と上方突部８と天面７とを角折れ部を有しないで曲面を介した連続面として形成し、すっきりと見栄えのよい構成となるように形成してある。
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
薄い合成樹脂シートを真空圧空成形し、容器本体との嵌合部（３）、起立した側面（２）、及び天面（７）を有し、四隅コーナー部を有した平面視略々四角形状の蓋（１）であって、
各コーナー部両側の隣接側面（２、２）間を曲面稜線（５）を介して連続形成し、側面（２）の上縁を曲面稜線（６）を介して水平な天面（７）に連続形成するとともに、
各コーナー部に曲面稜線（５）を天面（７）の水平面よりも高く上方へ延長した上方突部（８）を形成し、
各上方突部（８）は、その頂部を蓋外方へ膨出した上曲面（１０）とするとともに、上方突部（８）両側に上曲面（１０）から曲面稜線（６、６）に下り傾斜して連続するなだらかな両裾（９、９）を形成し、且つ上方突部（８）と天面（７）の水平面との間に上曲面（１０）から蓋内方へ凹んだ凹曲面形状の内傾斜面（１１）を形成した構成を有することを特徴とする容器の蓋の構造。
【請求項２】
厚み１５０〜３５０μｍの合成樹脂シートを成形してなる請求項１に記載の容器の蓋の構造。
【請求項３】
上方突部（８）を天面（７）の水平面との高低差が２〜８ｍｍ内に収まるように形成し、上曲面（１０）を内外方向の切断面の曲り程度が１〜３Ｒの曲面とし、上曲面（１０）から天面（７）への内傾斜面（１１）全体が天面（７）の水平面に対して１０〜４０°の角度内に収まる平坦面乃至凹曲面とし、上方突部（８）の頂部付近の拡開角度を６０〜１２０°とし、両裾（９、９）を同角度乃至それ以上のゆるやかな傾斜として形成してなる請求項１又は２に記載の容器の蓋の構造。
【手続補正２】
【補正対象書類名】明細書
【補正対象項目名】０００４
【補正方法】変更
【補正の内容】
【０００４】
上記課題を解決するため、本発明は、薄い合成樹脂シートを真空圧空成形し、容器本体との嵌合部、起立した側面、及び天面を有し、四隅コーナー部を有した平面視略々四角形状の蓋であって、各コーナー部両側の隣接側面間を曲面稜線を介して連続形成し、側面の上縁を曲面稜線を介して水平な天面に連続形成するとともに、各コーナー部に曲面稜線を天面の水平面よりも高く上方へ延長した上方突部を形成し、各上方突部は、その頂部を蓋外方へ膨出した上曲面とするとともに、上方突部両側に上曲面から曲面稜線に下り傾斜して連続するなだらかな両裾を形成し、且つ上方突部と天面の水平面との間に上曲面から蓋内方へ凹んだ凹曲面形状の内傾斜面を形成した構成を有することを特徴とする。
【手続補正３】
【補正対象書類名】明細書
【補正対象項目名】０００５
【補正方法】変更
【補正の内容】
【０００５】
合成樹脂シートは、厚み１５０〜３５０μｍのシートを成形することが好ましく、内傾斜面は部分的に或いは全面的に凹曲面として形成するのが好ましい。
また、上記において、上方突部を天面の水平面との高低差が２〜８ｍｍ内に収まるように形成し、上曲面を内外方向の切断面の曲り程度が１〜３Ｒの曲面とし、上曲面から天面への内傾斜面全体が天面の水平面に対して１０〜４０°の角度内に収まる平坦面乃至凹曲面とし、上方突部の頂部付近の拡開角度を６０〜１２０°とし、両裾を同角度乃至それ以上のゆるやかな傾斜として形成するのが好ましい。
【手続補正４】
【補正対象書類名】明細書
【補正対象項目名】０００９
【補正方法】変更
【補正の内容】
【０００９】
上記蓋において、天面７の四隅部すなわちコーナー部の曲面稜線５の上部を上方へ延長して上方突部８を形成し、この上方突部８は、図６にも示すように、その頂部上縁を蓋外方へ膨出した上曲面１０とし、突部両側がコーナー部両側面２、２上縁の曲面稜線６、６に連続するなだらかな両裾９、９を有するとともに、上曲面１０から蓋内方へ凹んだ下り傾斜した凹曲面を介して水平な天面７に連続する内傾斜面１１を有して形成し、この内傾斜面１１は、図６（Ｂ）に示すように、傾斜中間部を平坦傾斜面とし、その内外両縁部を曲面で連続する面形状とするか、図９（Ｂ）に示すように傾斜面全体を凹曲面とし、或いは図示しないが、コーナー部の内側部分の曲がり程度を大きく（小さく曲率）し、両裾９、９方向ほどなだらかな曲面状態とし、或いはまた、これらの組み合わせの面状態として形成するのが好ましい。こうして、側面２と上方突部８と天面７とを角折れ部を有しないで曲面を介した連続面として形成し、すっきりとした見栄えのよい構成となるように形成してある。
【手続補正５】
【補正対象書類名】図面
【補正対象項目名】図６
【補正方法】変更
【補正の内容】
【図６】
2007091240.tif 000013
【手続補正６】
【補正対象書類名】図面
【補正対象項目名】図９
【補正方法】変更
【補正の内容】
【図９】
2007091240.tif 000014